(57)【要約】【課題】簡易な構造で墨糸の交換を簡便に実行でき、かつ外部への墨漏れがなく、墨糸に対して墨汁を確実に付着せしめるようにする。【解決手段】墨壷を上ケース２，下ケース３，及び先端糸出入り口部材４に分解可能とすることにより、墨糸２５の交換を簡単に短時間で行うことができるようにする。また墨壺が分解可能であるにもかかわらず、上下ケース２，３の係合部全周にゴム製のケースパッキン２２を配することにより、墨壺内部の密閉性を保つ。また墨室部６上部に設けられた開閉蓋９には、その全周に弾性材パッキン１３が装着され、墨漏れを確実に防止する。また墨糸２５に墨汁を付着させる押圧棹１０を弾性材パッキン８に一体的に設けてその上下動作を確実にし、墨糸２５に墨汁を充分に付着させ、より明瞭な墨線を打つことができるようにしている。【選択図】　　　　図１
2004025390.tif 000002
【特許請求の範囲】
【請求項１】
ゼンマイバネが内部に設けられた巻取りドラムを収納する巻取りドラム収納部と、墨汁を含浸させておくための墨汁含浸材を収納する墨室部とを有し、先端にカルコを連結した墨糸を前記巻取りドラムに巻回し、該巻回した墨糸を前記墨室を経由させて墨壺先端の糸出入り口から引き出すことにより、前記墨汁含浸材に含浸させた墨汁を前記墨糸に付着させて墨付け作業を実行可能とするとともに、引き出した前記墨糸を前記ゼンマイバネの作用によって自動で巻き取ることができるようにした墨壷において、前記墨壺のケースは、前記糸出入り口を構成する先端糸出入口部材と、前記墨室部及び前記巻取りドラム収納部の上側の一部を構成する上ケースと、前記墨室部及び前記巻取りドラム収納部の残りの一部を構成する下ケースとを互いに係合させることにより一体的に形成され、該係合を解除することによって、前記糸巻きドラムと、該糸巻きドラムから引き出された墨糸を挿通させる前記先端糸出入り口部材とを分離できるようにしたことを特徴とする墨壺。
【請求項２】
請求項１に記載の墨壺において、前記墨壺のケースは、前記墨室部の上部にスミサシを使用する為の開口部を有し、該開口部を開閉可能な開閉蓋が前記ケースに設けられ、該開閉蓋の下面には墨漏れ防止用の弾性材パッキンが設置され、該弾性材パッキンは、前記開閉蓋を閉じた時に、前記開口部を形成するケースの開口周縁に圧接してシールすることを特徴とする墨壺。
【請求項３】
請求項２に記載の墨壺において、前記墨汁含浸材に対して前記墨糸を押圧するために操作される上下可動なボタンが前記開閉蓋に設けられ、前記弾性材パッキンは、前記開閉蓋を閉じたときに、前記開口部全域を遮蔽し、前記ボタンと前記墨室部の内部とが該弾性材パッキンを介して分離されるように構成されていることを特徴とする墨壷。
【請求項４】
請求項３に記載の墨壺において、前記墨糸を前記墨汁含浸材に押圧する押圧棹が前記弾性材パッキンの下面側に取付けられ、前記ボタンが操作されて下方へ変位したときに、該ボタンによって押圧された前記弾性材パッキンとともに前記押圧棹が下方へ変位することにより、該押圧棹が前記墨糸を押圧することを特徴とする墨壺。
【請求項５】
請求項４に記載の墨壺において、前記弾性材パッキンの前記ボタンが押圧する部分は球面形状を有し、弾性変形を受けた該球面形状部分が形状回復する特性によって、操作により押し込まれた前記押しボタンを元の位置に回復させることを特徴とする墨壺。
【発明の詳細な説明】
【０００１】
【発明の属する技術分野】
本発明は、大工や石工などが木材、壁、床や石材上に墨線を引く為に使用する自動巻取り式の墨壷に関するものである。
【０００２】
【従来の技術】
従来の墨壷において、糸巻きドラムを収納するドラム収納部と、墨汁含浸材を収納する墨室とを墨壺本体に設け、糸巻きドラムには先端にカルコを連結した墨糸が巻回されるとともに、その糸巻きドラム内に巻取り用ゼンマイバネが設けられ、糸巻きドラムから繰り出される墨糸が墨室を経由することにより、墨糸に墨汁を付着させ墨付けを行う自動巻取り式の墨壺が知られている。この墨壺においては、スミサシを使用する為の開閉自在の蓋が墨室の上部に設けられている。またその蓋の下面には、墨汁を墨糸に付着させるための上下可動な押圧部材が設けられている。押圧部材の上部には、手で押したときに押圧部を墨汁含浸材に押し付ける押しボタン状の突起が設けられている。
【０００３】
上述のごとくの墨壺において、糸巻きドラム収納部は、収納した糸巻きドラムを取出して墨糸を交換できるように、通常その上部が開閉自在になっている。しかしながら、墨室の筐体は、墨漏れ防止の為に通常糸巻きドラム収納部と一体構造をなしているため、糸巻きドラムから墨室の墨糸出入口までの間は密閉状態になり、墨糸が切れた場合、あるいは墨糸を新しいものに交換する場合は、糸通し器具を用いてドラム収納部から墨糸出入口まで糸通しを行わなければならず、非常に面倒で時間が掛かるという問題があった。
【０００４】
すなわち、従来の墨壷、特に自動巻取り式墨壺においては、上記のごとくの墨糸の交換の簡便性をいかに実現し、かつ墨室開閉部の密閉性をいかに確保して墨漏れを防止するかが大きな課題となっている。このような課題に対し、例えば特開平１０−８６０７９号公報では、墨室上部の開口部を弾性部材で覆い、押圧部材の突起のみを弾性部材から上部に出すようにした構成が開示され、特開２００１−１６２５６９Ａ号公報では、押圧部材の突起部を弾性部材で完全に覆ってしまう構成が開示されている。
【０００５】
しかし、上記公報の墨壺において、いずれも従来の墨壺と同じように墨糸の交換に際して糸通し器具を用いなければならず非常に面倒であり、また墨糸に対して墨汁が確実に付着しているかどうか常に不安であるという問題があった。また墨室の開閉蓋のパッキンは、当該蓋の縁周りのみに配設されていて、押圧部材とは別の部材となっており、これらは構造的にも複雑で部品点数も多くコストが掛かり、組立てのやりにくさ等多くの問題があり、さらに墨漏れに対しても不安が残るものであった。
【０００６】
【発明が解決しようとする課題】
本発明は上述のごとき実情に鑑みてなされたもので、簡易な構造で墨糸の交換を簡便に実行でき、かつ外部への墨漏れがなく、墨糸に対して墨汁を確実に付着せしめることができるようにした墨壺を提供することを目的とするものである。
【０００７】
【課題を解決するための手段】
請求項１の発明は、ゼンマイバネが内部に設けられた巻取りドラムを収納する巻取りドラム収納部と、墨汁を含浸させておくための墨汁含浸材を収納する墨室部とを有し、先端にカルコを連結した墨糸を前記巻取りドラムに巻回し、該巻回した墨糸を前記墨室を経由させて墨壺先端の糸出入り口から引き出すことにより、前記墨汁含浸材に含浸させた墨汁を前記墨糸に付着させて墨付け作業を実行可能とするとともに、引き出した前記墨糸を前記ゼンマイバネの作用によって自動で巻き取ることができるようにした墨壷において、前記墨壺のケースは、前記糸出入り口を構成する先端糸出入口部材と、前記墨室部及び前記巻取りドラム収納部の上側の一部を構成する上ケースと、前記墨室部及び前記巻取りドラム収納部の残りの一部を構成する下ケースとを互いに係合させることにより一体的に形成され、該係合を解除することによって、前記糸巻きドラムと、該糸巻きドラムから引き出された墨糸を挿通させる前記先端糸出入り口部材とを分離できるようにしたことを特徴としたものである。
【０００８】
請求項２の発明は、請求項１の発明において、前記墨壺のケースは、前記墨室部の上部にスミサシを使用する為の開口部を有し、該開口部を開閉可能な開閉蓋が前記ケースに設けられ、該開閉蓋の下面には墨漏れ防止用の弾性材パッキンが設置され、該弾性材パッキンは、前記開閉蓋を閉じた時に、前記開口部を形成するケースの開口周縁に圧接してシールすることを特徴としたものである。
【０００９】
請求項３の発明は、請求項２の発明において、前記墨汁含浸材に対して前記墨糸を押圧するために操作される上下可動なボタンが前記開閉蓋に設けられ、前記弾性材パッキンは、前記開閉蓋を閉じたときに、前記開口部全域を遮蔽し、前記ボタンと前記墨室部の内部とが該弾性材パッキンを介して分離されるように構成されていることを特徴としたものである。
【００１０】
請求項４の発明は、請求項３の発明において、前記墨糸を前記墨汁含浸部材に押圧する押圧棹が前記弾性材パッキンの下面側に取付けられ、前記ボタンが操作されて下方へ変位したときに、該ボタンによって押圧された前記弾性材パッキンとともに前記押圧棹が下方へ変位することにより、該押圧棹が前記墨糸を押圧することを特徴としたものである。
【００１１】
請求項５の発明は、請求項４の発明において、前記弾性材パッキンの前記ボタンが押圧する部分は球面形状を有し、弾性変形を受けた該球面形状部分が形状回復する特性によって、操作により押し込まれた前記押しボタンを元の位置に回復させることを特徴としたものである。
【００１２】
【発明の実施の形態】
図１は、本発明の墨壺の好ましい一実施形態を示す平面図、図２は図１のＡ−Ａ線に沿って切断した断面図、図３は図１のＢ−Ｂ線に沿って切断した断面図である。各図において、１は本体ケース、２は上ケース、３は下ケース、４は先端糸出入口部材、５は糸巻きドラム収納部、６は墨室部、７先端糸出入り口部、８は開口部、９は開閉蓋、１０は押圧棹、１１はボタン、１２は墨汁含浸材、１３は弾性材パッキン、１４は先端係止部、１５は糸巻きドラム、１６，１７は墨糸導通管、１８はスリット、１９はゼンマイバネ、２０はバネハウジング、２１は止め軸、２２はケースパッキン、２３は中央係止部、２４はカルコ、２５は墨糸である。
【００１３】
本発明の墨壺は、糸巻きドラム１５を収納する糸巻きドラム収納部５と、墨汁含浸材１２を収納する墨室部６とを墨壺の本体に設け、先端にカルコ２４を連結した墨糸２５が糸巻きドラム１５に巻回されるとともに、その糸巻きドラム１５内に巻取り用のゼンマイバネ１９が設けられ、糸巻きドラム１５から繰り出される墨糸２５が墨室部６を経由することにより、墨糸２５に墨汁を付着させ墨付けを行う自動巻取り式の墨壺において、墨壷本体における糸巻きドラム収納部５及び墨室部６を上ケース２と下ケース３により構成することによって、これらを分離可能としたものである。
【００１４】
図１ないし図３に示す実施形態の墨壺において、本体ケース１は、上ケース２、下ケース３、及び先端糸出入口部材４とにより構成される。また墨壺の機能としては、糸巻きドラム収納部５、墨室部６及び先端糸出入口部７とに区分される。上ケース１における墨室部６の上部には、スミサシを使用するための開口部８が設けられていて、該開口部８を開閉する開閉蓋９が配されている。
【００１５】
本発明に係わる墨壺は、墨壷の本体ケース１を上下に分解可能とすることにより、墨糸２５の交換を簡単に短時間で行うことができるようにしたもので、しかも分解可能であるにもかかわらず、上下ケース２，３の係合部全周にゴム製のケースパッキン２２を配することにより、墨壺内部の密閉性を保っている。また墨室部６上部に設けられた開閉蓋９には、その全周に弾性材パッキン１３が装着され、墨漏れを確実に防止する。
【００１６】
弾性材パッキン１３は、上ケース２の開口部８周縁の全域に圧接するように構成されている。また弾性材パッキン１３の下面には、墨糸２５を墨汁含浸材１２に押圧するための押圧棹１０が装着されている。ここでは、弾性材パッキン１３と押圧棹１０とが一体化することにより、墨室部６は弾性体パッキン１３に完全に覆われて墨漏れを完全に防止することができる。また押圧棹１０により、墨糸２５に対して墨汁を確実に含ませることが可能となっている。
【００１７】
開閉蓋９の上部には、弾性材パッキン１３を上方から押圧すべく上下可動なるボタン１１が設けられており、手指によるボタン１１への押圧操作を確実に弾性材パッキン１３へ伝える構造となっている。また弾性体パッキン１３において、ボタン１１からの押圧を受ける部分は半球面形状を有し、ボタン１１を上下可動ならしめるスプリングの機能を有している。即ちボタン１１が当接する球面状突起の弾性による復元力を利用することにより、金属製等のスプリングを用いることなく、ボタン１１の上下動作を可能にしている。
【００１８】
図４は、本発明の特徴を説明するための墨壺の分解図で、墨糸の補修もしくは交換時に、本体ケースが分解可能な墨壺の構成例を示すものである。本体ケース１を構成する上ケース２と下ケース３は、糸巻きドラム収納部５の先端係止部１４で互いに係止するように構成されている。また上下のケース２，３の中央部には互いに係止する中央係止部２３が備えられている。本体ケース１のもう一方の端部には糸出入口部材４が取付けられる。糸出入り口部材４を取付けることによって、上ケース２と下ケース３、及び糸出入り口部材４が一体的に保持される。すなわち、上ケース２と下ケース３を先端係止部１４と中央係止部２３で互いに係止させた状態で、これら上ケース２と下ケース３に対して糸出入り口部材４を係合させることにより、３つの部材が一体的に安定保持される。
【００１９】
本実施形態では、上ケース２と下ケース３を合わせた状態で糸出入り口部材４を所定の位置にセットし回動させることにより、上ケース２と下ケース３が備える突設部が、それぞれ糸出入り口部材４の備える突設部に係合し、各部材が一体的に保持される。
【００２０】
上記のごとくの構成により、糸出入り口部材４を取り外し、先端係止部１４と中央係止部２３の係止を解除することによって、上ケース２と下ケース３とを分離することができ、糸巻きドラム収納部５から先端糸出入口部７に至る墨糸２５を取出すことができる。従って墨糸２５が切断したときの補修や墨糸２５の交換を行う場合に、非常に至便なものとなっている。
【００２１】
糸巻きドラム収納部５には、巻取り用ゼンマイバネ１９が収納されたハウジング２０が備えられている。巻取り用ゼンマイバネ１９は、糸巻きドラム１５を回転させて墨糸２５を巻き取るために設けられている。また糸巻ドラム１５は、ハウジング２０に対して着脱自在に構成され、巻取り用ゼンマイバネ１９を止め軸２１から外すことなく、糸巻きドラム１５のみをハウジング２０から取り外すことができる。このような構成により、墨糸２５の交換，補修を簡便に行うことができる。また墨室部６における墨糸２５の２カ所の出入り口には、耐磨耗性樹脂（例えばＰＯＭ）による別部品として作成された墨糸導通管１６，１７が配設されている。これら墨糸導管１６，１７の上部には、墨糸の長さ方向に一致するスリット１８が設けられていて、そのスリット１８を使用することにより、墨糸導管１６，１７に対する墨糸２５の装着及び取り外しが可能となっている。
【００２２】
【発明の効果】
以上の説明から明らかなように、本発明の墨壺によれば、簡易な構造で墨糸の交換を簡便に実行でき、かつ外部への墨漏れがなく、墨糸に対して墨汁を確実に付着せしめることができるようにした墨壺を提供することができる。本発明の墨壺は、構造的にも単純化され、部品点数も少なく組立てが容易であり、コストの低減を実現することができる。すなわち、本発明の墨壷は、先端糸出入口部材を取り外して、上ケースと下ケースの係合部を外すことにより、これら上ケースと下ケースを分離することができる。また墨糸の巻取りドラムは、巻取り用ゼンマイバネのハウジングに対して着脱自在となっており、巻取りドラム及び先端糸出入口部材を墨壷本体から取り外すことができ、墨糸の補修及び交換を簡単に行うことができるようになる。また、本発明の墨壺によると、墨室部上部の開閉蓋の下部全体が弾性体パッキンで覆われており、開閉蓋が閉じられたときは墨室部は完全に密閉状態となり、墨漏れの心配は全く無くなる。
【図面の簡単な説明】
【図１】本発明の好ましい一実施例の平面図である。
【図２】図１のＡ−Ａ線に沿って切断した断面図である。
【図３】図１のＢ−Ｂ線に沿って切断した断面図である。
【図４】本発明の特徴を説明するための墨壺の分解図である。
【符号の説明】
１…本体ケース、２…上ケース、３…下ケース、４…先端糸出入口部材、５…糸巻きドラム収納部、６…墨室部、７…先端糸出入り口部、８…開口部、９…開閉蓋、１０…押圧棹、１１…ボタン、１２…墨汁含浸材、１３…弾性材パッキン、１４…先端係止部、１５…糸巻きドラム、１６，１７…墨糸導通管、１８…スリット、１９…ゼンマイバネ、２０…バネハウジング、２１…止め軸、２２…ケースパッキン、２３…中央係止部、２４…カルコ、２５…墨糸。
【図１】
2004025390.tif 000003
【図２】
2004025390.tif 000004
【図３】
2004025390.tif 000005
【図４】
2004025390.tif 000006